(57)【要約】【課題】中央制御装置と調光端末器の少なくとも一方が、他方の機種の相違に対しても対応可能で汎用性のある照明制御システムを提供する。【解決手段】照明器具６ａ〜６ｎと；所定の通信手順で通信を行い、照明器具６ａ〜６ｎの遠隔監視または制御を行う調光端末器４ａ〜４ｎ等と；照明器具６ａ〜６ｎおよび調光端末器４ａ〜４ｎ等と信号線３を介して接続され、所定の通信手順で調光端末器４ａ〜４ｎ等と通信を行うとともに、通信手順の異なる調光端末器４ａ〜４ｎ等に応じて通信手順を切り替える機能切替手段を有する中央制御装置と；機能切替手段２ｂを有する中央制御装置２と；を具備している。【選択図】  図１
2013008597.tif 000002
【特許請求の範囲】
【請求項１】
照明器具と；
所定の通信手順で通信を行い、前記照明器具の遠隔監視又は制御を行う端末器と；
前記照明器具および前記端末器と信号線を介して接続され、所定の通信手順で前記端末器と通信を行うとともに、通信手順の異なる端末器に応じて通信手順を切り替える機能切替手段を有する中央制御装置と；
を具備していることを特徴とする照明制御システム。
【請求項２】
照明器具と；
所定の通信手順で通信を行い、前記照明器具の遠隔監視又は制御を行う端末器と；
前記照明器具および前記端末器と信号線を介して接続されるとともに、所定の通信手順で前記端末器と通信を行う中央制御装置と；を具備し、
前記端末器は、通信手順の異なる中央制御装置に応じて通信手順を切り替える機能切替手段を備えていることを特徴とする照明制御システム。
【請求項３】
機能切替手段の切替動作を手動操作する切替操作手段を具備していることを特徴とする請求項１または２記載の照明制御システム。
【請求項４】
前記機能切替手段は、通信手順が異なることを識別したときに通信手順を切り替えることを特徴とする請求項１または２記載の照明制御システム。
【発明の詳細な説明】
【技術分野】
【０００１】
本発明の実施形態は照明制御システムに関する。
【背景技術】
【０００２】
従来、この照明制御システムの一例としては、中央制御装置に、信号線を介して調光端末器や壁スイッチ等の端末器を双方向データ通信可能に接続し、例えば壁スイッチの点，消灯や調光等の操作に応じて、調光端末器により、照明器具の光出力を制御するものが知られている（例えば特許文献１参照）。
【先行技術文献】
【特許文献】
【０００３】
【特許文献１】特開２００５−１９１６９２号公報
【発明の概要】
【発明が解決しようとする課題】
【０００４】
しかしながら、この種の照明制御システムの中央制御装置や調光端末器は、照明制御システムの例えば大，中，小の規模等に応じて機能が異なる。そして、異なる機能に対応してそれぞれ通信手順が異なるため、例えば小規模の照明制御システムの中央制御システムと大規模の端末器とは互換性がない、という課題がある。このために、小規模向けの照明制御システムにおいて大規模向けのシステムで使用される端末器を設置し機能拡張をするということができなかった。また、大、中規模向けの照明制御システムに機能を簡素化した小規模向けの端末器を設置することもできなかった。
【０００５】
本発明が解決しようとする課題は、中央制御装置と端末器の少なくとも一方が、通信手順の異なる機種の相違に対応可能で汎用性のある照明制御システムを提供することにある。
【課題を解決するための手段】
【０００６】
本実施形態の照明制御システムは、照明器具の遠隔監視又は制御を行う端末器を有する。端末器と中央制御装置とは、所定の通信手順で通信を行う。中央制御装置は、通信手順の異なる端末器に応じて通信手順を切り替える機能切替手段を有する。
【図面の簡単な説明】
【０００７】
【図１】第１の実施形態に係る照明制御システムのシステム構成図。
【図２】図１で示す中央制御装置の構成を示すブロック図。
【図３】図１で示す調光端末器の構成を示すブロック図。
【発明を実施するための形態】
【０００８】
以下、本発明の実施形態を図面に基づいて説明する。なお、複数の図面中、同一または相当部分には同一符号を付している。
【０００９】
図１は本実施形態の全体構成を示すシステム構成図、図２は図１で示す中央制御装置の構成を示すブロック図、図３は図１で示す調光端末器の構成を示すブロック図である。
【００１０】
（第１の実施形態）
図１に示すように照明制御システム１は、中央制御装置２に、例えば２線式の信号線３を介して所定の通信手順で通信を行う端末器としての複数の調光端末器４ａ，４ｂ，４ｃ，…，４ｎと、監視端末器の一例としての壁スイッチ５を、データ双方向シリアル（直列）通信可能に接続している。各調光端末器４ａ〜４ｎには、照明器具６ａ，６ｂ，…，６ｎをそれぞれ点，消灯や調光等による光出力制御可能に接続している。図１では各調光端末器４ａ〜４ｎに照明器具６ａ〜６ｎを１対１で接続しているが、１台の調光端末器４ａ〜４ｎに、２台以上の照明器具６ａ〜６ｎを接続してもよく、照明器具６ａ〜６ｎ用の電源は直流（ＤＣ）でも交流（ＡＣ）でもよいが、図１では図示を省略している。また、調光端末器４ａ〜４ｎは各照明器具６ａ〜６ｎに組み込む等一体に設けてもよい。
【００１１】
通信手順とは、制御信号フレームにおける機種固有のアドレス以外の実際のデータ部についての通信上の扱いをいう。
【００１２】
通信手順が異なるとは、通信手順にかかわるデータ部の通信上の扱いが異なることをいう。データ部は通常は決まった固定のデータ長である。例えば、データ部のデータ長が８ビットであれば２５６種類の値しか表現できない。機能拡張が行われると２５６種類では足りない場合がある。これ以上に拡張する方法として、予め予約しておいた拡張領域のデータ部を使う方法がある。例えばこの拡張領域が４ビットあればデータ部と組み合わせれば１６モード×２５６種類に拡張が可能となる。すなわち、通信手順が異なる場合、言い換えると、機能が拡張された機種で拡張後のデータ部の扱いが異なる端末器を使用する場合、中央制御側で通信相手となる端末器側の通信手順すなわち機種を分かっていないと２５６種類のデータの意味が異なり想定外の動作となってしまう。
【００１３】
そして、各調光端末器４ａ〜４ｎは、明るさセンサ７ａ，７ｂ，…，７ｎと人感センサ８ａ，８ｂ，…，８ｎを第２の信号線１１を介してそれぞれ接続している。これら明るさセンサ７ａ〜７ｎと人感センサ８ａ〜８ｎは、所要の照明エリアの天井等にそれぞれ埋設され、各照明エリアの明るさ（照度）を明るさセンサ７ａ〜７ｎにより検出する一方、照明エリア内の人の存否を人感センサ８ａ〜８ｎにより検出する。これら検出信号は調光端末器４ａ〜４ｎに読み込まれ、各調光端末器４ａ〜４ｎにより信号線３を介して中央制御装置２に送信される。
【００１４】
照明器具６ａ〜６ｎは、例えばオフィスビル等各種施設の各フロアやそのエリア等の照明エリア毎に設置される。これら照明器具６ａ〜６ｎは、その光源として例えば蛍光ランプや発光ダイオード（ＬＥＤ）、エレクトロルミネセンス（ＥＬ）等いずれを用いてもよく、これら光源を点灯させる点灯装置を具備している。
【００１５】
壁スイッチ５は照明器具６ａ〜６ｎの光出力を、１台毎に個別に制御するための個別制御用操作部（図示省略）または、複数台毎にグループ制御するグループ制御用操作部（図示省略）を具備しており、これら制御用操作部の操作時には、所要フォーマットの操作信号が出力され、これら操作信号（スイッチ入力）は信号線３を介して中央制御装置２により読み込まれる。なお、個別制御用操作部とグループ制御用操作部は、中央制御装置２に記憶されている各操作部のアドレスに対する照明器具６ａ〜６ｎまたは調光端末器４ａ〜４ｎのアドレスとの割付情報によって区別されるものである。すなわち一つの操作部に対して一つの照明器具が割り当てられている場合は個別制御用操作部として機能し、一つの操作部に対して複数の照明器具が割り当てられている場合はグループ制御用操作部として機能する。
【００１６】
図２に示すように中央制御装置２は、電源部９ａ、主制御部９ｂ、主メモリ９ｃ、ＡＤメモリ９ｄおよび送受信部９ｅを具備しており、複数の照明器具６ａ〜６ｎを遠隔制御すると共に、その動作状態（点，消灯や調光等）を遠隔監視する。
【００１７】
電源部９ａは、例えば１００Ｖの商用交流電源ＡＣを受電して所要電圧（例えば２４Ｖ）の直流（ＤＣ）に整流する整流器を有し、このＤＣを主制御部９ｂ、送受信部９ｅおよび信号線３に給電する。
【００１８】
主制御部９ｂは、例えばマイクロプロセッサ等からなり、調光手段２ａ、機能切替手段２ｂ、主メモリ９ｃおよびＡＤメモリ９ｄとを有する。ＡＤメモリ９ｄは各調光端末器４ａ〜４ｎのアドレスをそれぞれ示す個別アドレスと、これら各調光端末器４ａ〜４ｎをグループ化したときのグループを示すグループアドレスを記憶している。また、壁スイッチ５等、信号線３に接続されている各種端末器のアドレスも記憶している。
【００１９】
調光手段２ａは、壁スイッチ５からの操作信号が送受信部９ｅにより受信されると、この操作信号により操作されたスイッチ入力を解読し、この操作信号に対応した制御信号を生成し、この制御信号を送受信部９ｅにより信号線３上にシリアル（直列）伝送で伝送させる。
【００２０】
そして、主メモリ９ｃは、通信手順が異なる調光端末器に応じて、中央制御装置２の調光手段２ａ等、中央制御装置２が中央制御装置２として機能するための種々の機能を実行させるための複数の機種別処理プログラムを記憶している。
【００２１】
機能切替手段２ｂは、調光端末器４ａ〜４ｎの通信手順が現在の中央制御装置２の通信手順と一致しないことを検出したときに、この調光端末器４ａ〜４ｎの通信手順に適合した機種別処理プログラムを主メモリ９ｃから読み出し、以後、この機種別処理プログラムを主制御部９ｂにより実行させるように切り替える。
【００２２】
例えば機能切替手段２ｂは、ポーリング制御により調光端末器４ａ〜４ｎの機種の通信手順を読み出し、あるいは調光端末器４ａ〜４ｎからの通信手順を示す機種信号を信号線３と送受信部９ｅを介して受信することにより通信手順を読み出し、読み出した調光端末器４ａ〜４ｎの通信手順が、現在駆動中の中央制御装置２の通信手順と適合するか否かを判断する。
【００２３】
この判断の結果、通信手順が一致している場合は、引き続き、その中央制御装置２を駆動する。一方、中央制御装置２と調光端末器４ａ〜４ｎの通信手順が不一致の場合は、調光端末器４ａ〜４ｎの通信手順に適合する機種別処理プログラムを主メモリ９ｃから読み出し、以後、この機種別処理プログラムにより、中央制御装置２を駆動する。
【００２４】
この機種別処理プログラムの切替（選択）は、外付けの設定器９ｆの手動設定操作によっても行うことができる。設定器９ｆとしては、例えばディップスイッチまたはパーソナルコンピュータ（ＰＣ）等があり、これらの手動操作により、機種別処理プログラムを切り替えることができる。
【００２５】
図３に示すように各調光端末器４ａ〜４ｎは送受信部１０ａ、端末制御部１０ｂ、ＡＤメモリ１０ｃおよび制御操作部１０ｄを具備している。
【００２６】
送受信部１０ａは、中央制御装置２の送受信部９ｅから所定の通信手順で送信された制御信号を受信し、端末制御部１０ｂに与える受信機能を有する。また、各送受信部１０ａには、第２の信号線１１を介して少なくとも１台の明るさセンサ７ａ〜７ｎと、人感センサ８ａ〜８ｎがそれぞれ接続されている。各明るさセンサ７ａ〜７ｎは、各照明器具６ａ〜６ｎの照明エリアの例えば天井等に埋設され、各照明エリアの照度を検出する。この照度検出信号は、送受信部１０ａを介して端末制御部１０ｂに与えられる。端末制御部１０ｂは、この照度検出信号を送受信部１０ａにより信号線３を介して中央制御装置２に所定の通信手順で送信する。
【００２７】
中央制御装置２は、調光端末器４ａ〜４ｎから照度検出信号を送受信部９ｅにより受信すると、主制御部９ｂの調光手段２ａにより、予め設定してある照度目標値を送受信部９ｅにより所定の通信手順で信号線３へ送信する。
【００２８】
そして、この送受信部１０ａは、中央制御装置２からの制御信号のタイムスロットである信号返送期間よりなる応答データに、調光端末器４ａ〜４ｎの制御実行後の応答データを記録して中央制御装置２に返送させる機能を有する。
【００２９】
各人感センサ８ａ，８ｂ，…，８ｎは、アドレスが同じ照明器具６ａ〜６ｎの照明エリアの例えば天井等に配設され、この照明エリアで人の存否を検出する。この検出信号は、送受信部１０ａを介して端末制御部１０ｂに与えられる一方、送受信部１０ａにより信号線３を介して中央制御装置２に送信される。中央制御装置２は、その検出信号が人の存在を検出したときの信号であると判断したときには、その検出信号と同じアドレスの照明器具６ａ〜６ｎを点灯させるＯＮ信号を信号線３に送信し、一方、人の存在を検出しなかった検出信号であると判断したときには、照明器具６ａ〜６ｎを消灯させるＯＦＦ信号を信号線３に送信する。
【００３０】
端末制御部１０ｂは、例えばマイクロプロセッサから構成され、ＡＤメモリ１０ｃを具備している。ＡＤメモリ１０ｃは各調光端末器４ａ〜４ｎにそれぞれ個別に与えられた個別アドレスと、これら調光端末器４ａ〜４ｎを所要数のグループにグループ化したときのグループアドレスとを記憶している。制御操作部１０ｄは照明器具６ａ〜６ｎを点，消灯するＯＮ／ＯＦＦ制御や調光制御を行う。
【００３１】
次に、この照明制御システム１の作用を説明する。
【００３２】
図１で示す壁スイッチ５により照明器具６ａ〜６ｎを制御するための操作が行なわれると、壁スイッチ５の各操作部に対応して予め設定されているアドレスとともに、制御内容（例えば、点灯，消灯，調光等）を含んだ所定フォーマットの制御信号が所定の通信手順で信号線３を介して中央制御装置２へ送信される。中央制御装置２は、壁スイッチ５から制御信号を受信すると、壁スイッチ５により指定されたアドレスに対応する照明器具６ａ〜６ｎを制御するための制御信号を所定の通信手順で送信する。このとき、壁スイッチ５のアドレスに対して照明器具６ａ〜６ｎの個別アドレスが設定されている場合には、壁スイッチ５の操作は照明器具６ａ〜６ｎを個別制御する。一方、壁スイッチ５のアドレスに対してグループアドレスが設定されている場合には壁スイッチ５の操作は照明器具６ａ〜６ｎをグループ制御する。
【００３３】
そして、人感センサ８ａ〜８ｎにより人の存否が検出された検出信号は調光端末器４ａ〜４ｎの送受信部１０ａにより信号線３を介して中央制御装置２へ送信される。
【００３４】
中央制御装置２では、主制御部９ｂにより、この人感センサ８ａ〜８ｎからの検出信号が人の存在を検出しているか、人の不存在を検出しているか否かを判断し、人の存在を検出しているときには、壁スイッチ５により指定されたアドレスの照明器具６ａ〜６ｎを所定の照度で点灯させるＯＮ（点灯）信号を、人の不存在を検出しているときには、ＯＦＦ（消灯）信号を信号線３へ送信する。
【００３５】
各調光端末器４ａ〜４ｎは、送受信部１０ａにより、このＯＮまたはＯＦＦ信号を受信する。すると、端末制御部１０ｂがＡＤメモリ１０ｃから自己のアドレスを読み出し、この自己のアドレスがＯＮ／ＯＦＦ信号のアドレスと一致するか否か判断し、これらアドレス同士が一致したと判断したときに、このアドレスの調光端末器４ａ〜４ｎの端末制御部１０ｂが制御操作部１０ｄを操作し、照明器具６ａ〜６ｎを点灯または消灯させる。
【００３６】
そして、明るさセンサ７ａ〜７ｎにより検出された照度検出値は調光端末器４ａ〜４ｎの送受信部１０ａにより信号線３を介して中央制御装置２へ送信される。
【００３７】
中央制御装置２では、主制御部９ｂの調光手段２ａにより予め設定された照度目標値を含む制御信号を当該アドレスの調光端末器４ａ〜４ｎへ信号線３を介して送信する。各調光端末機４ａ〜４ｎは、送受信部１０ａにより、この照度目標値を含む制御信号を受信する。すると、端末制御部１０ｂがＡＤメモリ１０ｃから自己のアドレスを読み出し、この自己のアドレスが受信した制御信号のアドレスと一致するか否かを判断し、これらアドレス同士が一致したと判断したときに、そのアドレスの調光端末器４ａ〜４ｎの端末制御部１０ｂが制御操作部１０ｄを制御信号に従って操作する。
【００３８】
これにより、この照度目標値を含む制御信号のアドレスと同じアドレスの調光端末器４ａ〜４ｎにより照明器具６ａ〜６ｎの明るさが照度目標値になるように調光される。
【００３９】
ところで、調光端末器４ａ〜４ｎにそれぞれ接続される明るさセンサ７ａ〜７ｎ、人感センサ８ａ〜８ｎあるいは照明器具６ａ〜６ｎの接続台数を増加し、または減少させて、システムの規模を変更させる場合等により、調光端末器４ａ〜４ｎの機種を変更した場合は、その機種変更した調光端末器４ａ〜４ｎからの機種（通信手順）変更信号が信号線３と送受信部９ｅを介して中央制御装置２に送信される。または、中央制御装置２がポーリング制御により、調光端末器４ａ〜４ｎの機種（通信手順）変更を読み出したときは、中央制御装置２の機能切替手段２ｂにより、機種変更した調光端末器４ａ〜４ｎの通信手順に適合した中央制御装置２の機種別処理プログラムが主メモリ９から選択的に読み出され、自動的に切り替えられる。また、この機種別処理プログラムの切替は、例えば中央制御装置２のディップスイッチやＰＣ等の設定器９ｆの手動操作によっても切り替えることができる。
【００４０】
そして、中央制御装置２は複数の調光端末器４ａ〜４ｎの機種の通信手順に応じて、複数の機種別処理プログラムを主メモリ９ｃに予め記録しており、適宜選択できるので、複数の機種の通信手順に対応することができる。このために、中央制御装置２の汎用性を拡大できる。
【００４１】
これにより、調光端末器４ａ〜４ｎの機種変更に応じて中央制御装置２の機種も一々変更して信号線３に接続する等の変更作業を行う必要もないので、機種変更の簡単迅速化を図ることができるうえに、コスト低減を図ることができる。
【００４２】
なお、上記第１の実施形態では、調光端末器４ａ〜４ｎの機種（通信手順）変更に対し、中央制御装置２側の通信手順を適合させる機能切替手段２ｂを中央制御装置２側に設けた場合について説明したが、本発明はこれに限定されるものではなく、例えば監視端末器を所定の通信手順で通信を行う端末器としても同様の作用効果を得ることができる。
【００４３】
第２の実施形態は、中央制御装置２側の通信手順に対し、調光端末器４ａ〜４ｎ側の機能を適合させる機能切替手段２ｂを各調光端末器４ａ〜４ｎ側に設けてもよい。つまり、第２の実施形態は、調光端末器４ａ〜４ｎに、中央制御装置２の通信手順に対応して動作するための複数の機種別処理プログラムを記憶するメモリを設ける。さらに、中央制御装置２の機種を読み出したときに、この機種に適合した機種別処理プログラムを上記メモリから選択し、以後、その機種別処理プログラムを実行させる機種切替手段を端末制御部１０ｂに設ける。この実施形態よれば、各調光端末器４ａ〜４ｎの汎用性を高めることができる。
【００４４】
また、機能切替手段２ｂの機能切替を手動操作によっても行う上記設定器９ｆに相当する設定器を設けてもよく、これによれば、上記第１の実施形態と同様に、設定器の手動操作によっても機種別処理プログラムを切り替えることができるので、その機能切替の確実性を高めることができる。
【００４５】
以上、本発明の幾つかの実施形態を説明したが、これらの実施形態は、例として提示したものであり、本発明の範囲を限定することは意図していない。これら新規な実施形態は、その他の様々な形態で実施されることが可能であり、本発明の要旨を逸脱しない範囲で、種々の省略、置換え、変更を行うことができる。これら実施形態やその変形は、本発明の範囲や要旨に含まれるとともに、特許請求の範囲に記載された発明とその均等の範囲に含まれる。
【符号の説明】
【００４６】
１…照明制御システム、２…中央制御装置、２ｂ…機能切替手段、３…信号線、４ａ，４ｂ，…，４ｎ…調光端末器、５…壁スイッチ、６ａ，６ｂ，…，６ｎ…照明器具、７ａ，７ｂ，…，７ｎ…明るさセンサ、８ａ，８ｂ，…，８ｎ…人感センサ。
【図１】
2013008597.tif 000003
【図２】
2013008597.tif 000004
【図３】
2013008597.tif 000005